(57)【要約】【課題】高さやチルト角の調整作業を容易に実施可能なＦＰＤ用スタンドを提供する。【解決手段】ＦＰＤ用スタンド１０は左右対称形のスタンド本体１１と取付台３０とを備えている。スタンド本体１１は梁１８で連結された左右の支柱１２を備えており、両支柱１２の上端部間には三本の横メンバー２０が上中下段に架設されている。取付台３０は上下の横メンバー３１を備えており、両横メンバー３１の左右端部は後方に約４５度で屈曲され、両端間には左右のハンドル３２が垂直に溶着され、直線部分には左右の縦メンバー３４が固定されている。両縦メンバー３４の取付面３６には複数個の取付孔３７が開設され、両縦メンバー３４の外側壁には上段フック３８と下段フック３９が後方に突設されている。下段フック３９の股間部３９ａの上側近傍にはチルト角調整ねじ部材４１を挿通されてチルト角調整雌ねじ孔４２にねじ込まれるチルト角調整孔４０が開設されている。【選択図】図１
2005108974.tif 000002
【特許請求の範囲】
【請求項１】
フラットパネルディスプレイが取り付けられる取付台と、この取付台を横メンバーによって支持するスタンド本体とを備えており、前記取付台には左右で一対のハンドルと、前記スタンド本体の横メンバーに係合するフックとがそれぞれ突設されていることを特徴とするフラットパネルディスプレイ用スタンド。
【請求項２】
前記横メンバーが前記スタンド本体に三本以上架設されており、前記フックが上下に少なくとも一対以上突設されていることを特徴とする請求項１に記載のフラットパネルディスプレイ用スタンド。
【請求項３】
前記フックには前記取付台の前記スタンド本体に対するチルト角を調整するチルト角調整孔が開設されていることを特徴とする請求項１または２に記載のフラットパネルディスプレイ用スタンド。
【請求項４】
前記スタンド本体の支柱に配線空間が形成されていることを特徴とする請求項１、２または３に記載のフラットパネルディスプレイ用スタンド。
【発明の詳細な説明】
【技術分野】
【０００１】
本発明は、フラットパネルディスプレイ用スタンドに関し、特に、大画面のフラットパネルディスプレイ（以下、ＦＰＤという。）に利用して有効なものに関する。
【０００２】
最近のＦＰＤの技術革新に伴って、プラズマディスプレイや液晶ディスプレイ等の大画面のＦＰＤが開発されている。そこで、プレゼンテーションや会議、発表および講演会等において、パーソナルコンピュータにオーバヘッドプロジェクタを接続する代わりに大画面のＦＰＤを接続して利用することが検討されている。大画面のＦＰＤをプレゼンテーション等に使用する場合には、大画面のＦＰＤの高さやチルト角（上下方向の傾斜角度）をプレゼンテーションや会議、発表および講演会等の用途や条件に対応させて調整する必要がある。
【０００３】
このような要求に応えるこの種のＦＰＤ用スタンドとしては、キャスター付載置台の両側に上部で互いに連結された支柱を立設し、この支柱の上端部にＦＰＤを取り付ける取付金具を固定したもの、がある（例えば、特許文献１および特許文献２参照）。
【特許文献１】特開平１１−２０４９４８号公報
【特許文献２】特開２００１−２４４６６２号公報
【発明の開示】
【発明が解決しようとする課題】
【０００４】
従来のこの種のＦＰＤ用スタンドにおいては、ＦＰＤを取り付けた取付金具を支柱に一度固定すると、ＦＰＤの高さやチルト角を変更調整する作業が困難であるという問題点がある。特に、大画面のプラズマディスプレイの場合には、重量が大きくなるために、高さやチルト角の変更調整作業がきわめて困難である。
【０００５】
本発明の目的は、ＦＰＤの高さやチルト角の変更調整作業を容易に実施することができるＦＰＤ用スタンドを提供することにある。
【課題を解決するための手段】
【０００６】
本発明に係るフラットパネルディスプレイ用スタンドは、フラットパネルディスプレイが取り付けられる取付台と、この取付台を横メンバーによって支持するスタンド本体とを備えており、前記取付台には左右で一対のハンドルと、前記スタンド本体の横メンバーに係合するフックとがそれぞれ突設されていることを特徴とする。
【発明の効果】
【０００７】
前記した手段によれば、フラットパネルディスプレイの高さやチルト角を変更調整する作業に際して、取付台の左右に突設されたハンドルを持つことによってスタンド本体から独立して取付台を支持することができるので、大重量のフラットパネルディスプレイであっても高さやチルト角を簡便に変更調整することができる。
【発明を実施するための最良の形態】
【０００８】
本実施の形態において、本発明に係るＦＰＤ用スタンドは、大画面かつ大重量のＦＰＤであるプラズマディスプレイを支持するものとして構成されており、図１〜図９に示されているように、本実施の形態に係るＦＰＤ用スタンド１０はいずれも左右対称形に形成されたスタンド本体１１と取付台３０とを備えている。
【０００９】
スタンド本体１１は垂直かつ左右対称形に配置された左右で一対の支柱１２、１２を備えており、左右の支柱１２、１２は前後に配置された二本の丸パイプ１３、１３が複数個の連結板１４によって連結されてそれぞれ構成されている。二本の丸パイプ１３、１３の下端部は前後方向に屈曲されて拡開されており、各下端開口部にはキャスタ１５がそれぞれワッシャ１６を介して螺入されている。二本の丸パイプ１３、１３の上端開口部にはキャップ１７がそれぞれ嵌入されている。垂直かつ左右対称形に配置された左右の支柱１２、１２の下端部における連結板１４、１４の間には、梁１８が水平に架設されており、左右の支柱１２、１２は梁１８に複数本の締結具１９によって締結されることにより互いに連結されている。左右の支柱１２、１２の上端部における上中下段の連結板１４、１４の間には、三本の横メンバー２０、２０、２０がそれぞれ水平に架橋されており、各横メンバー２０は締結具２１によって左右の支柱１２、１２にそれぞれ締結されている。左右の支柱１２、１２の外側面には左右のカバー２２、２２が二本の丸パイプ１３、１３の弯曲面に係合するようにしてそれぞれ被せ付けられており、左右の支柱１２、１２には配線通路２３がカバー２２と複数個の連結板１４との間に形成されている。
【００１０】
取付台３０は水平かつ左右対称形に配置された上下で一対の横メンバー３１、３１を備えており、上下の横メンバー３１、３１は断面形状が正方形の角パイプによって形成されている。上下の横メンバー３１、３１の左右両端部は後方に約４５度の傾斜角をもってそれぞれ屈曲されており、上下の横メンバー３１、３１の両端間には左右で一対のハンドル３２、３２が垂直に配置されてそれぞれ溶着されている。左右のハンドル３２、３２は丸パイプによって形成されており、左右のハンドル３２、３２の上下端の開口部にはキャップ３３がそれぞれ嵌入されている。上下の横メンバー３１、３１の中間部における直線部分には左右で一対の縦メンバー３４、３４が、それぞれ垂直かつ互いに左右対称形に配置されて固定されている。左右の縦メンバー３４、３４はチャンネル型鋼形状にそれぞれ形成されており、チャンネル型鋼の底壁部分に没設された凹部３５、３５に左右の横メンバー３１、３１の直線部分が正面側から嵌入されて溶着されている。左右の横メンバー３１、３１の直線部分の正面は左右の縦メンバー３４、３４の底壁部の外面である正面よりも若干後退しており、左右の縦メンバー３４、３４の正面はプラズマディスプレイが取り付けられる取付面３６を構成している。左右の縦メンバー３４、３４の取付面３６には複数個の取付孔３７が縦に一列に並べられて開設されており、取付孔３７はプラズマディスプレイの取付用雌ねじ孔に対応するように配列されているとともに、プラズマディスプレイを螺着するためのボルトが挿通されるように設定されている。
【００１１】
左右の縦メンバー３４、３４の左右方向の外側の側壁同士の間隔は、スタンド本体１１の左右の支柱１２、１２の左右方向の内側同士の間隔と略等しくなるように設定されており、左右の縦メンバー３４、３４の左右方向の外側の側壁における後側部分には、左右で一対の上段フック３８、３８と、左右で一対の下段フック３９、３９がそれぞれ左右対称形に形成されて後方に突設されている。左右の上段フック３８、３８はスタンド本体１１の横メンバー２０に上から引っ掛かる二股形状に形成されており、股間部３８ａは略半円形状に形成されているとともに、その内径は横メンバー２０の丸パイプの外径と略等しくなるように設定されている。左右の下段フック３９、３９もスタンド本体１１の横メンバー２０に上から引っ掛かる二股形状に形成されているが、股間部３９ａは横メンバー２０の直径よりも広く設定されている。左右の下段フック３９、３９の股間部３９ａの上側近傍には前後で一対のチルト角調整孔４０、４０が前後方向に所定の間隔をとって並べられて開設されており、前後のチルト角調整孔４０、４０はチルト角調整ねじ部材４１を挿通し得るように設定されている。他方、スタンド本体１１の三本の横メンバー２０を架設した連結板１４にはチルト角調整雌ねじ孔４２がそれぞれ開設されており、チルト角調整雌ねじ孔４２はチルト角調整ねじ部材４１がねじ込まれるように設定されている。
【００１２】
次に、以上の構成に係るＦＰＤ用スタンド１０へのプラズマディスプレイ１の取付方法並びに作用および効果を説明する。
【００１３】
まず、取付台３０の取付面３６がプラズマディスプレイ１の背面に当接されるとともに、左右の縦メンバー３４、３４の複数個の取付孔３７がプラズマディスプレイ１の対向する取付用雌ねじ孔（図示せず）に整合される。続いて、左右の縦メンバー３４、３４の背面側からボルト４３（図１参照）が取付孔３７に挿通されてプラズマディスプレイ１の取付用雌ねじ孔にねじ込まれる。これにより、取付台３０がプラズマディスプレイ１の背面に固定された状態になる。この取付台３０のプラズマディスプレイ１への取付作業は、プラズマディスプレイ１を固定した状態（例えば、梱包体に収納した状態）で施工することができるので、プラズマディスプレイ１の損傷を防止することができる。
【００１４】
以上のようにして取付台３０が固定されたプラズマディスプレイ１は、取付台３０の左右のハンドル３２、３２が把持されて移動される。この際、取付台３０の上下の横メンバー３１、３１の左右の両端部が後方に屈曲されてプラズマディスプレイ１の背面を逃げた状態になっているので、左右のハンドル３２、３２がプラズマディスプレイ１の両端部に干渉することはなく、作業者は大画面かつ大重量のプラズマディスプレイ１であっても容易に持ち上げて搬送することができる。
【００１５】
続いて、取付台３０の左右の上段フック３８、３８および左右の下段フック３９、３９がスタンド本体１１の所望の高さの横メンバー２０、２０にそれぞれ上から引っ掛けられることにより、プラズマディスプレイ１は所望の高さに取り付けられる。例えば、上段フック３８が上段の横メンバー２０に引っ掛けられるとともに、下段フック３９が中段の横メンバー２０に引っ掛けられると、プラズマディスプレイ１はスタンド本体１１の上側の高さに取り付けられることになる。この際、一対のハンドル３２、３２が取付台３０の左右の斜め後方に配置されていることにより、作業者は左右の上段フック３８および下段フック３９、３９を目視することができるので、左右の上段フック３８および下段フック３９を上段および中段の横メンバー２０、２０に簡単に引っ掛けることができる。この状態で、左右の縦メンバー３４、３４の左右方向の外側の側壁が、スタンド本体１１の左右の支柱１２、１２の左右方向の内側に挟まれた状態になるために、取付台３０すなわちプラズマディスプレイ１は左右の位置を規制された状態になる。
【００１６】
次いで、下段フック３９の股間部３９ａの上側近傍に開設された一方のチルト角調整孔４０が、横メンバー２０の連結板１４に開設されたチルト角調整雌ねじ孔４２に整合され、チルト角調整ねじ部材４１がチルト角調整孔４０を挿通してチルト角調整雌ねじ孔４２にねじ込まれることにより、プラズマディスプレイ１が所望のチルト角に調整される（図１３参照）。例えば、後側のチルト角調整孔４０がチルト角調整雌ねじ孔４２にねじ止めされた場合には、プラズマディスプレイ１は垂直の姿勢になる。また、前側のチルト角調整孔４０がチルト角調整雌ねじ孔４２にねじ止めされた場合には、プラズマディスプレイ１は適度に前傾した状態になる。この際、一対のハンドル３２、３２が取付台３０の左右の斜め後方に配置されていることにより、作業者はチルト角調整孔４０とチルト角調整雌ねじ孔４２との整合作業およびチルト角調整ねじ部材４１の締結作業を目視によって実行することができる。この状態で、左右の縦メンバー３４、３４が左右の支柱１２、１２に締結された状態になるために、取付台３０すなわちプラズマディスプレイ１はスタンド本体１１に対する上下の位置を規制された状態になる。
【００１７】
例えば、プラズマディスプレイ１の高さを下げたい場合には、まず、チルト角調整ねじ部材４１がチルト角調整雌ねじ孔４２およびチルト角調整孔４０から外された後に、左右のハンドル３２、３２が把持されて取付台３０が持ち上げられることにより、上段フック３８が上段の横メンバー２０から抜き上げられるとともに、下段フック３９が中段の横メンバー２０から抜き上げられる。続いて、取付台３０がスタンド本体１１に対して若干手前に移動された後に、後方へ下げられることにより、上段フック３８が中段の横メンバー２０に引っ掛けられるとともに、下段フック３９が下段の横メンバー２０に引っ掛けられ、プラズマディスプレイ１はスタンド本体１１の下側の高さに取り付けられる。次いで、下段フック３９の股間部３９ａの上側近傍に開設された一方のチルト角調整孔４０が、横メンバー２０の連結板１４に開設されたチルト角調整雌ねじ孔４２に整合され、チルト角調整ねじ部材４１がチルト角調整孔４０を挿通してチルト角調整雌ねじ孔４２にねじ込まれることにより、プラズマディスプレイ１が所望のチルト角に調整される。チルト角調整作業に際しては、上段フック３８の股間部３８ａが半円形に形成され、横メンバー２０が丸パイプ形状に形成されていることにより、取付台３０は上段フック３８が引っ掛けられた横メンバー２０を中心に揺動することができるので、チルト角調整作業は容易に施工することができる。
【００１８】
なお、プラズマディスプレイ１に接続された電力供給電線や信号供給線等の配線類（図示せず）は、左右の支柱１２、１２の外側面と左右のカバー２２、２２の内側面との間に形成された配線通路２３の中を通させることによって、整頓された状態で敷設することができる。この際、カバー２２の二本の丸パイプ１３、１３の弯曲面との係合を解除することにより、カバー２２を支柱１２から取り外すと、配線類の敷設作業はきわめて施工し易くなる。
【００１９】
図１０〜図１３は本発明の他の実施の形態であるＦＰＤ用スタンドを示している。
【００２０】
本実施の形態に係るＦＰＤ用スタンド５０が前記実施の形態と異なる点は、スタンド本体５１の構成である。スタンド本体５１は垂直かつ左右対称形に配置された左右で一対の支柱５２、５２を備えており、左右の支柱５２、５２は略長方形の角パイプ５３によってそれぞれ構成されている。角パイプ５３の下端開口部には脚取付具５４が嵌入されており、脚取付具５４には二股脚５５がボルト５６によって締結されている。二股脚５５の両端部の下面には一対のキャスタ５７、５７がワッシャ５８、５８を介してそれぞれ螺入されている。角パイプ５３の上端開口部にはキャップ５９が嵌入されている。垂直かつ左右対称形に配置された左右の支柱５２、５２の下端部における脚取付具５４、５４の間には、梁６０が水平に架設されており、左右の支柱５２、５２は梁６０に複数本の締結具６１によって締結されることにより互いに連結されている。左右の支柱５２、５２の上端部における上中下段の間には、三本の横メンバー６２、６２、６２がそれぞれ水平に架橋されており、各横メンバー６２は左右の支柱５２、５２にそれぞれ固定されている。左右の支柱５２、５２の内側面における中段の横メンバー６２の上側近傍と下段の横メンバー６２の上側近傍とには、チルト角調整雌ねじ孔６３がそれぞれ開設されており、チルト角調整雌ねじ孔６３はチルト角調整ねじ部材４１がねじ込まれるように設定されている。
【００２１】
本実施の形態に係るＦＰＤ用スタンド５０へのプラズマディスプレイ１の取付方法は、前記実施の形態に係るＦＰＤ用スタンド１０と同様であるので、説明は省略する。本実施の形態によれば、前記実施の形態の作用および効果に加えて、スタンド本体５１を堅牢に構築することができるので、大画面かつ大重量のプラズマディスプレイ１を安全かつ確実に支持することができるという作用および効果を得ることができる。
【００２２】
なお、本発明は前記実施の形態に限定されるものではなく、その要旨を逸脱しない範囲において、種々に変更が可能であることはいうまでもない。
【００２３】
例えば、図１２に示されているように、スタンド本体に棚板６４を架設してもよい。
【００２４】
スタンド本体の横メンバーは三本設けるに限らず、四本以上設けてもよい。
【００２５】
チルト角調整孔は小孔を複数個並べて構成するに限らず、長孔によって構成してもよいし、さらには、チルト角調整雌ねじ孔を複数個設けてもよい。
【００２６】
ＦＰＤはプラズマディスプレイに限らないし、ＦＰＤの取付方法の手順は前記実施の形態の手順に限らないことは言うまでもない。
【図面の簡単な説明】
【００２７】
【図１】本発明の第一の実施の形態であるＦＰＤ用スタンドのプラズマディスプレイの取付状態を示す斜視図である。
【図２】本発明の第一の実施の形態であるＦＰＤ用スタンドを示す斜視図である。
【図３】分解斜視図である。
【図４】正面図である。
【図５】背面図である。
【図６】右側面図である。
【図７】平面図である。
【図８】取付台を下げた状態を示す正面図である。
【図９】図８のＡ−Ａ線に沿う側面断面図である。
【図１０】本発明の第二の実施の形態であるＦＰＤ用スタンドのプラズマディスプレイの取付状態を示す斜視図である。
【図１１】本発明の第二の実施の形態であるＦＰＤ用スタンドを示す斜視図である。
【図１２】分解斜視図である。
【図１３】下段フック付近を示す斜視図である。
【符号の説明】
【００２８】
１…プラズマディスプレイ（ＦＰＤ）、１０…ＦＰＤ用スタンド、１１…スタンド本体、１２…支柱、１３…丸パイプ、１４…連結板、１５…キャスタ、１６…ワッシャ、１７…キャップ、１８…梁、１９…締結具、２０…横メンバー、２１…締結具、２２…カバー、２３…配線通路、３０…取付台、３１…横メンバー、３２…ハンドル、３３…キャップ、３４…縦メンバー、３５…凹部、３６…取付面、３７…取付孔、３８…上段フック、３９…下段フック、４０…チルト角調整孔、４１…チルト角調整ねじ部材、４２…チルト角調整雌ねじ孔、４３…ボルト、５０…ＦＰＤ用スタンド、５１…スタンド本体、５２…支柱、５３…角パイプ、５４…脚取付具、５５…二股脚、５６…ボルト、５７…キャスタ、５８…ワッシャ、５９…キャップ、６０…梁、６１…締結具、６２…横メンバー、６３…チルト角調整雌ねじ孔、６４…棚板。
【図１】
2005108974.tif 000003
【図２】
2005108974.tif 000004
【図３】
2005108974.tif 000005
【図４】
2005108974.tif 000006
【図５】
2005108974.tif 000007
【図６】
2005108974.tif 000008
【図７】
2005108974.tif 000009
【図８】
2005108974.tif 000010
【図９】
2005108974.tif 000011
【図１０】
2005108974.tif 000012
【図１１】
2005108974.tif 000013
【図１２】
2005108974.tif 000014
【図１３】
2005108974.tif 000015